(57)【要約】【課題】簡単な構成で、頭部装着部とこの頭部装着部の前方に設けられた庇部とを有する頭部装着物を容易に且つ確実に覆うことができ、また、見栄えの良いカバーを提供する。【解決手段】頭部装着部１０全体を覆う頭部装着部カバー部分２０と、この頭部装着部カバー部分２０と連設され、庇部１１全体を覆う庇部カバー部分２１とを有している。頭部装着部カバー部分２０は、頭部装着部１０と相似形状に成形されており、庇部カバー部分２１は、庇部１１の形状と相似形状で、頭部装着部カバー部分２１と接続される上縁２１ａと、この上縁２１ａとの間で庇部１１を挿入することが可能な開口部２１ｃを形成する下縁部２１ｂとを有する袋状に成形されている。そして、カバー２全体は、伸縮性を有する布製素材により構成されており、頭部装着部カバー部分２０が頭部装着物１の頭部装着部１０よりも小さく且つ頭部装着物１の頭部装着部１０を覆い被せ得る大きさで成形されている。【選択図】図１
0003191042.tif 000002
【実用新案登録請求の範囲】
【請求項１】
頭部装着部と該頭部装着部の前方に設けられた庇部とを有する頭部装着物を覆うカバーであって、
頭部装着部全体を覆う頭部装着部カバー部分と、該頭部装着部カバー部分と連設され前記庇部全体を覆う庇部カバー部分とを有しており、
前記頭部装着部カバー部分は、前記頭部装着部と相似形状に成形されており、
前記庇部カバー部分は、前記庇部の形状と相似形状で、前記頭部装着部カバー部分と接続される上縁と該上縁との間で前記庇部を挿入することが可能な開口部を形成する下縁部とを有する袋状に成形されており、
全体が伸縮性を有する布製素材により構成されており、前記頭部装着部カバー部分が前記頭部装着物の頭部装着部よりも小さく且つ前記頭部装着物の頭部装着部を覆い被せ得る大きさで成形されていることを特徴とする頭部装着物のカバー。
【請求項２】
前記庇部カバー部分内に頭部装着物の庇部を挿入するとともに、前記頭部装着部カバー部分を前記頭部装着物の頭部装着部に被せた状態で、前記頭部装着部カバー部分が前記頭部装着物の頭部装着部から離脱するのを防止するよう締め付ける締付手段が、前記頭部装着部カバー部分に設けられていることを特徴とする請求項１に記載の頭部装着物のカバー。
【請求項３】
全体が撥水性を有する布製素材により構成されていることを特徴とする請求項１または２のいずれかに記載の頭部装着物のカバー。
【請求項４】
前記庇部カバー部分に、その形状を維持するための芯材を設けたことを特徴とする請求項１〜３のいずれか１項に記載の頭部装着物のカバー。
【請求項５】
前記芯材が、前記庇部カバー部分の内部下面に設けられていることを特徴とする請求項４に記載の頭部装着物のカバー。
【請求項６】
前記庇部カバー部分は、前記頭部装着部カバー部分を折りたたんで収納し得る大きさを有することを特徴とする請求項１〜５のいずれか１項に記載の頭部装着物のカバー。
【考案の詳細な説明】
【技術分野】
【０００１】
本考案は、頭部装着物のカバーに関し、さらに詳しくは、頭部装着部と該頭部装着部の前方に設けられた庇部とを有する、例えばキャップやサンバイザーなどの頭部装着物を覆うカバーに関するものである。
【背景技術】
【０００２】
本考案に関連する従来の技術としては、例えば特許文献１および特許文献２が知られている。
特許文献１には、不透水性素材から成り伸縮可能な伸縮性縁部を有する冠部本体の容積を大きくして着用時に頭部との間に十分な隙間が生じる如く形成し、該冠部本体の前部に庇部を設けると共に冠部本体後部には当該冠部本体の余裕分を集め係止する係止部を設けたことを特徴とする雨天用ゴルフ婦人帽子が開示されている。
【０００３】
すなわち、特許文献１は、髪の長い女性ゴルフプレイヤーが雨天時に使用するための帽子に関するものである。そして、特許文献１の実施例には、不透水性素材として軟質樹脂が記載されており、また、伸縮性縁部として冠部本体の周縁部にゴム材等の材質を固着することにより伸縮可能な縁取りを行ったものであることなどが記載されている。
【０００４】
一方、特許文献２には、カバー本体の外周部に伸縮性を有する紐状体を取り付けて開口部を収縮させたレインキャップであって、前記カバー本体を塩化ビニール樹脂フィルム又はポリエチレンフィルムで形成した簡単軽量手の中サイズの使い捨てレインキャップが開示されている。
【０００５】
すなわち、特許文献２は、帽子に被せる使い捨て用レインキャップに関するもので、カバー本体と伸縮性を有す紐状体とで構成されていること（０００６）、カバー本体は長円形に切り抜いて形成されていること（０００７）、紐状体は、カバー本体の外周開口部の長さよりも短い合成ゴムを使用し、合成ゴムを伸長させた状態でカバー本体の外周開口部に配置して、カバー本体の外周開口部を内側に折曲げて合成ゴムを包み込んだのち重ね合わせ部を熱シール処理を行なうことにより、合成ゴムをカバー本体の外周開口部に取り付けること、および、合成ゴムを取り付けたら、その弾性により収縮して開口部が形成されること（０００８）などが記載されている。
【先行技術文献】
【特許文献】
【０００６】
【特許文献１】実開平２−１１１２２号公報（雨天ゴルフ夫人帽子）
【特許文献２】実用新案登録第３１４２０４３号公報（使い捨てレインキャップ）
【考案の概要】
【考案が解決しようとする課題】
【０００７】
上記従来の技術のうち、特許文献１にあっては、髪の長い女性が髪の毛をアップして冠部本体内より出ないように着用した際に、かかる髪をアップした状態の女性の頭部との間に十分な隙間が生じるように、冠部本体の容積を大きく形成したものであったため、冠部本体の余裕分を集めて係止部により係止したとしても、冠部本体が大きくなり、見栄えが良くないという問題があった。また、特許文献１にあっては、全体が不透水性素材から成るため、気温の高い時期には頭部が蒸れるという問題があった。さらに、特許文献１の雨天用ゴルフ婦人帽子では、雨天時以外に使用することができないことから、通常の帽子とは別に用意する必要があり、また、軟質樹脂から成る不透水性素材であることから、雨天時以外にキャディバックなどに仕舞っておくのにスペースを取り、また、形状が崩れるたり折り目がつくなどの問題があった。
【０００８】
また、上記従来の技術のうち、特許文献２のレインカバーにあっては、塩化ビニール樹脂かポリエチレンフィルムを長円形に切り抜いて形成したカバー本体の外周開口部を、伸縮性を有する紐状体で収縮させるものであるため、かかるレインカバーがを被せる帽子の形状に沿った形状とはならず、見栄えが悪いという問題があった。また、特許文献２のレインカバーでは、塩化ビニール樹脂かポリエチレンフィルムからなるカバー本体では、気温の高い時期には頭部が蒸れるという問題があった。そして、特許文献２のレインカバーでは、塩化ビニール樹脂かポリエチレンフィルムからなるカバー本体であるため、使い捨てとして適していても、簡単にカバー本体が破損するなど耐用使用回数が少ないという問題があった。さらにまた、特許文献２のレインカバーは、単体では通常の帽子としも使用することができず、シャワーキャップ程度しか使用することができないという問題もあった。
【０００９】
本考案は、上述した問題に鑑みてなされたもので、簡単な構成で、頭部装着部とこの頭部装着部の前方に設けられた庇部とを有する頭部装着物を容易に且つ確実に覆うことができ、また、見栄えの良いカバーを提供することを目的とする。
【課題を解決するための手段】
【００１０】
請求項１の頭部装着物のカバーに係る考案は、上記目的を達成するため、頭部装着部と該頭部装着部の前方に設けられた庇部とを有する頭部装着物を覆うカバーであって、頭部装着部全体を覆う頭部装着部カバー部分と、該頭部装着部カバー部分と連設され前記庇部全体を覆う庇部カバー部分とを有しており、前記頭部装着部カバー部分は、前記頭部装着部と相似形状に成形されており、前記庇部カバー部分は、前記庇部の形状と相似形状で、前記頭部装着部カバー部分と接続される上縁と該上縁との間で前記庇部を挿入することが可能な開口部を形成する下縁部とを有する袋状に成形されており、全体が伸縮性を有する布製素材により構成されており、前記頭部装着部カバー部分が前記頭部装着物の頭部装着部よりも小さく且つ前記頭部装着物の頭部装着部を覆い被せ得る大きさで成形されていることを特徴とする。
請求項２の頭部装着物のカバーに係る考案は、上記目的を達成するため、請求項１に記載の考案において、前記庇部カバー部分内に頭部装着物の庇部を挿入するとともに、前記頭部装着部カバー部分を前記頭部装着物の頭部装着部に被せた状態で、前記頭部装着部カバー部分が前記頭部装着物の頭部装着部から離脱するのを防止するよう締め付ける締付手段が、前記頭部装着部カバー部分に設けられていることを特徴とする。
請求項３の頭部装着物のカバーに係る考案は、上記目的を達成するため、請求項１または２のいずれかに記載の考案において、全体が撥水性を有する布製素材により構成されていることを特徴とする。
請求項４の頭部装着物のカバーに係る考案は、上記目的を達成するため、請求項１〜３のいずれか１項に記載の考案において、前記庇部カバー部分に、その形状を維持するための芯材を設けたことを特徴とする。
請求項５の頭部装着物のカバーに係る考案は、上記目的を達成するため、請求項４に記載の考案において、前記芯材が、前記庇部カバー部分の内部下面に設けられていることを特徴とする。
請求項６の頭部装着物のカバーに係る考案は、上記目的を達成するため、請求項１〜５のいずれか１項に記載の考案において、前記庇部カバー部分は、前記頭部装着部カバー部分を折りたたんで収納し得る大きさを有することを特徴とする。
【００１１】
請求項１の考案では、カバーを頭部装着物に取り付ける場合、袋状に成形された庇部カバー部分の上縁と下縁との間に形成されている開口部から頭部装着物の庇部を挿入し、庇部カバー部分の上縁と接続された頭部装着部カバー部分を頭部装着物の頭部装着部に覆い被せる。カバー全体が伸縮性を有する布製素材により構成されており、頭部装着部カバー部分が頭部装着物の頭部装着部よりも小さく且つ頭部装着部を覆い被せることが可能な大きさで成形されているため、庇部カバー部分が確実に頭部装着物の庇部全体を覆って係止されるとともに、頭部装着部カバー部分が頭部装着物の頭部装着部全体を覆って係止される。そのため、カバーは、頭部装着物全体に密着した状態で覆って確実に係止され離脱することがなく、しかも、見た目が頭部装着物と同様の形状となる。そして、全体が布製素材により構成されていることから、通気性を有している。また、カバーを頭部装着物から取り外す場合には、頭部装着部カバー部分を頭部装着物の頭部装着部から外し、上縁が頭部装着部カバー部分と接続された袋状の庇部カバー部分から頭部装着物の庇部を抜き出す。
請求項２の考案では、請求項１に記載の考案において、庇部カバー部分内に頭部装着物の庇部を挿入するとともに、頭部装着部カバー部分を前記頭部装着物の頭部装着部に被せた状態で、締付手段により締め付けると、布製素材の伸縮性に加えて、確実に頭部装着部カバー部分が頭部装着物の頭部装着部から離脱するのを防止する。またカバーが不要な場合には、締付手段を緩めて頭部装着部カバー部分を頭部装着物の頭部装着部から取り外す。
請求項３の考案では、請求項２に記載の考案において、全体が撥水性を有する布製素材により構成されていることにより、雨天時に頭部装着物に被せるためのカバーとして使用する。
請求項４の考案では、請求項１〜３のいずれか１項に記載の考案において、庇部カバー部分に設けられた芯材が庇部カバー部分の形状を維持する。そのため、カバーを頭部装着物に被せることなく、帽子として単体で直接頭部に装着することも可能となる。
請求項５の考案では、請求項４に記載の考案において、庇部カバー部分の内部下面に芯材を設けることにより、頭部装着物に被せたときに、庇部カバー部分の上側部分が庇部と密着するのを芯材が妨げることがない。
請求項６の考案では、請求項１〜５のいずれか１項に記載の考案において、カバーを頭部装着物に被せる必要がないときに、頭部装着部カバー部分を折りたたんで庇部カバー部分に収納する。
【考案の効果】
【００１２】
請求項１に記載の考案によれば、カバーが、頭部装着部全体を覆う頭部装着部カバー部分と、該頭部装着部カバー部分と連設され庇部全体を覆う庇部カバー部分とを有しており、頭部装着部カバー部分は、頭部装着部と相似形状に成形されており、庇部カバー部分は、庇部の形状と相似形状で、頭部装着部カバー部分と接続される上縁と該上縁との間で庇部を挿入することが可能な開口部を形成する下縁部とを有する袋状に成形されており、全体が伸縮性を有する素材により構成されており、頭部装着部カバー部分が頭部装着物の頭部装着部よりも小さく且つ頭部装着物の頭部装着部を覆い被せ得る大きさで成形されていることにより、頭部装着物の形状に応じた形状で、頭部装着物全体を確実に密着させて覆うよう取り付けることができ、また不要時には頭部装着物から容易に取り外すことができ、しかも、頭部装着物の外観形状を維持することができ、さらに、頭部装着物の通気性を妨げることがないため、蒸れることがないカバーを提供することができる。
請求項２に記載の考案によれば、請求項１に記載の考案において、締付手段が、前記頭部装着部カバー部分に設けられていることにより、布製素材の伸縮性に加えて、確実に頭部装着部カバー部分が頭部装着物の頭部装着部から離脱するのを防止することができ、また、カバーが不要な場合には、締付手段を緩めて頭部装着部カバー部分を頭部装着物の頭部装着部から容易に取り外すことができるカバーを提供することができる。
請求項３に記載の考案によれば、請求項２に記載の考案において、全体が撥水性を有する布製素材により構成されていることにより、雨天時に頭部装着物に被せて使用することができるカバーを提供することができる。
請求項４に記載の考案によれば、請求項１〜３のいずれか１項に記載の考案において、庇部カバー部分に芯材を設けたことにより、庇部カバー部分の形状を維持することができ、したがって、帽子として単体で直接頭部に装着することも可能なカバーを提供することができる。
請求項５に記載の考案によれば、請求項４に記載の考案において、芯材が庇部カバー部分の内部下面に設けられていることにより、頭部装着物に被せたときに、庇部カバー部分の上側部分が庇部と密着するのを芯材が妨げることがないため、庇部カバー部分の形状を維持し且つ頭部装着物の外観形状を確実に維持することができるカバーを提供することができる。
請求項６に記載の考案によれば、請求項１〜５のいずれか１項に記載の考案において、庇部カバー部分が、頭部装着部カバー部分を折りたたんで収納し得る大きさを有することにより、不要時に頭部装着部カバー部分を折りたたんで庇部カバー部分に首脳することができるカバーを提供することができる。
【図面の簡単な説明】
【００１３】
【図１】本考案の頭部装着物のカバーを説明するために頭部装着物に被せた状態を示した側面図である。
【図２】図１の縦断側面図である。
【図３】本考案の第２の実施の形態を説明するために示した縦断側面図である。
【図４】本考案の第３の実施の形態を説明するために示した縦断側面図である。
【図５】本考案の第４の実施の形態を説明するために示した縦断側面図である。
【考案を実施するための形態】
【００１４】
本考案の頭部装着物のカバーの実施の一形態を、図に基づいて説明する。
本考案は、概略、頭部装着部１０と、この頭部装着部１０の前方に設けられた庇部１１とを有する頭部装着物１を覆うカバー２であって、頭部装着部１０全体を覆う頭部装着部カバー部分２０と、この頭部装着部カバー部分２０と連設され、庇部１１全体を覆う庇部カバー部分２１とを有している。頭部装着部カバー部分２０は、頭部装着部１０と相似形状に成形されており、庇部カバー部分２１は、庇部１１の形状と相似形状で、頭部装着部カバー部分２１と接続される上縁２１ａと、この上縁２１ａとの間で庇部１１を挿入することが可能な開口部２１ｃを形成する下縁部２１ｂとを有する袋状に成形されている。そして、カバー２全体は、伸縮性を有する布製素材により構成されており、頭部装着部カバー部分２０が頭部装着物１の頭部装着部１０よりも小さく且つ頭部装着物１の頭部装着部１０を覆い被せ得る大きさで成形されている。
さらに、本考案の頭部装着物のカバー２は、庇部カバー部分２１内に頭部装着物１の庇部１１を挿入するとともに頭部装着部カバー部分２０を頭部装着物１の頭部装着部１０に被せた状態で、頭部装着部カバー部分２０が頭部装着物１の頭部装着部１０から離脱するのを防止するよう頭部装着部カバー部分２０を締め付ける締付手段２２が、頭部装着部カバー部分２０に設けられており、さらにまた、全体が伸縮性に加えて撥水性を有する布製素材により構成されており、これに加えて、庇部カバー部分２１に、その形状を維持するための芯材２３が設られている。そして、芯材２３は、庇部カバー部分２１の内部下面に設けられている。
さらにまた、庇部カバー部分２１は、頭部装着部カバー部分２０を折りたたんで収納し得る大きさに成形されている。
【００１５】
本考案のカバー２により覆われる頭部装着物１として、頭部装着部１０が着用者の頭部を露出させないようクラウン部を構成しているキャップ1Ａ、１Ｂ、１Ｃ（図１〜４を参照）や、着用者の頭部の周囲のみに接して頭頂部を露出させるように額当て部およびベルト部が環状または後方が開放した形状のサンバイザー１Ｄ（図５を参照）を挙げることができる。以下の説明では、キャップのクラウン部とサンバイザーの額当て部およびベルト部に符号１０を付する。さらにキャップとして、クラウン部１０が着用者の頭部の形状に応じてほぼ半球形状のキャップ１Ａ（図１および図２を参照）、クラウン部１０がほぼ円柱形状の所謂ドゴールキャップ１Ｂ（図３を参照）、クラウン部１０の前方が比較的小型の庇部１１上に接しており比較的扁平形状の所謂ハンチングキャップ１Ｃ（図４）、あるいは所謂マリンキャップ（図示は省略する）などを挙げることができる。
【００１６】
最初に、図１および図２に基づいて、頭部装着部であるクラウン部１０がほぼ半球形状のキャップ1Ａ用のカバー２を説明する。
キャップ1Ａのクラウン部１０全体を覆う頭部装着部カバー部分２０と、キャップ1Ａの庇部１１を覆う庇部カバー部分２１とは、同じ布製素材により構成されている。布製素材は、伸縮性と撥水性を有している。布製素材は、頭部装着部カバー部分２０がキャップ１Ａのクラウン部１０全体を覆い得る大きさで成形され、クラウン部１０に装着された状態で適度にクラウン部１０を締め付けることができる程度の伸縮性を有するものであれば、ニットと布帛のいずれかにより構成することができる。また、布製素材は、その表面に撥水剤を塗布したものを採用することができる。布製素材は、通気性を有している。
【００１７】
頭部装着部カバー部分２０は、布製素材を適宜形状に裁断することにより成形された各パーツを縫い合わせることにより、キャップ１Ａのクラウン部１０の形状と相似形となるよう、この実施の形態ではほぼ半球状に成形されている。各パーツを縫い合わせた部分には、止水テープが設けられている。また、庇部カバー部分２１は、キャップ１Ａの庇部１１の上方と下方にそれぞれ接するパーツの外周縁部を互いに縫い合わせて袋状に成形されており、キャップ１Ａの庇部１１を収容し得る大きさを有している。庇部１１の上面と接する部分の基端縁、すなわち、庇部カバー部分２１の上縁２１ａは、頭部装着部カバー部分２０の下縁開口部の前方と縫い合わされ接続されている。図に示すように、庇部カバー部分２１の庇部１１の下面と接する部分、すなわち、袋状の庇部カバー部分２１の内部下面には、芯材２３が設けられている。庇部カバー部分２１の庇部１１の下面と接する部分の基端縁、すなわち、袋状の庇部カバー部分２１の下縁部２１ｂと、頭部装着部カバー部分２０と接続された庇部カバー部分２１の上縁２１ａとの間には、キャップ１Ａの庇部１１を挿入するための開口部２１ｃが形成されている。なお、庇部カバー部分２１の庇部１１の下面と接する部分は、その基端縁（下縁）２１ｂが頭部装着部カバー部分２０から僅かに前方に離れるように、庇部カバー部分２１の庇部１１の上面と接する部分よりも前後方向の長さがわずかに短くなるように成形することが好ましい。このように庇部カバー部分２１の庇部１１の下面と接する部分を短く成形することにより、袋状の庇部カバー部分２１の開口部２１ｃに対してキャップ１Ａの庇部１１を容易に挿入することができる。
【００１８】
さらに、頭部装着部カバー部分２０には、締付部材２２としてこの実施の形態では帯状ゴムが、頭部装着部カバー部分２０の下縁開口部をわずかに縮小させるように設けられている。この実施の形態では帯状ゴム２２が頭部装着部カバー部分２０の後方部分に設けられているが、本考案はこの実施の形態に限定されることはなく、帯状ゴムに替えて面ファスナーや長さ調節可能なベルトにより構成してもよく、また、頭部装着部カバー部分２０の後方部分に替えて両側方部分に設けてもよい。
【００１９】
頭部装着部カバー部分２０および庇部カバー部分２１の大きさは、取り付けるキャップ１Ａのクラウン部１０および庇部１１の大きさや、布製素材の伸縮性などを考慮して設定することができる。また、頭部装着部カバー部分２０および庇部カバー部分２１の大きさは、異なる大きさのキャップ１Ａに対応することができるよう、例えば男性用サイズと女性用サイズ、或いは大、中、小のサイズを設定するなどして、カバー２に汎用性を持たせるようにすることもできる。
【００２０】
次に、上述したように構成されたカバー２をキャップ１Ａに対する取り付けおよび取り外しのための手順を説明する。カバー２をキャップ１Ａに取り付けるに際して、最初に、キャップ１Ａの庇部１１を袋状の庇部カバー部分２１の開口部２１ｃから挿入し、次いで、クラウン部１０に頭部装着部カバー部分２０を被せる。袋状の庇部カバー部分２１の少なくとも芯材２３が設けられていない上側部分は、庇部１１の上面に沿って密着するよう被せられ、また、頭部装着部カバー部分２０は、その布状素材の伸縮性によって全体が締め付けられ、キャップ１Ａのクラウン部１０の形状に沿って密着するよう被せられるため、キャップ１Ａのシルエットと同様の形状を呈することとなり、したがって、カバー２がキャップ1Ａに被せられた状態の見栄えを良くすることができる。さらに、布状素材の伸縮性と併せて、帯状ゴムによる収縮など、締付手段２２によって頭部装着部カバー部分２０の下縁開口部を縮小させるよう締め付けられるため、キャップ１Ａのクラウン部１０から頭部装着部カバー部分２０が不用意に離脱するのを防止することができる。
【００２１】
そして、カバー２全体が布製素材により構成されているため、キャップ1Ａに取り付けた際にキャップ１Ａの通気性を阻害することがなく、したがって、例えばゴルフなどの運動時に着用者の頭部が蒸れることがない。また、布製素材が撥水機能を有することにより、雨天時に使用すれば、頭部用の雨具として使用することができる。そして、カバー２を構成する布製素材の柄や色、或いはパーツを頭部装着物１と異ならせることにより、頭部装着物１の意匠とは異なる意匠を構成することができ、カバー２を構成する布製素材の柄や色およびパーツを頭部装着物１と同様とし且つ頭部装着物１と異なる機能を有する布製素材を採用することにより、頭部装着物１と同様の意匠で異なる機能を持たせることができる。
【００２２】
一方、上述したように構成されたカバー２をキャップ１Ａから取り外すに際して、最初に、キャップ１Ａのクラウン部１０から頭部装着部カバー部分２０の後方を離脱させ、次いで、庇部１１を袋状の庇部カバー部分２１から抜き取る。その後、頭部装着部カバー部分２０を折りたたんで袋状の庇部カバー部分２１に収納する。そのため、カバー２を使用しないときには、コンパクトにして仕舞うことができる。
【００２３】
なお、この実施の形態では、庇部カバー部分２１に芯材２３が設けられているため、使用態様として、キャップ等の頭部装着物１に被せることなく、カバー２を帽子のように単体で頭部に直接被ることもできる。
【００２４】
次に、本考案の第２の実施の形態を図３に基づいて説明する。なお、上述した実施の形態と同様または相当する部分については同じ符号を付してその説明を省略し、異なる部分についてのみ説明することとする。
【００２５】
上述した第１の実施の形態ではカバー２を取り付ける頭部装着物１が、ほぼ半球形状のクラウン部１０を有するキャップ１Ａであったのに対して、この実施の形態においては、クラウン部２０がほぼ円柱形状の所謂ドゴールキャップ１Ｂである点で異なっている。
【００２６】
頭部装着部カバー部分２０は、ドゴールキャップ１Ｂのクラウン部１０と相似形となるよう、この実施の形態ではほぼ円柱状で、ドゴールキャップ１Ｂのクラウン部１０よりも僅かに小さく成形されている。庇部カバー部分２１は、ドゴールキャップ１Ｂの庇部１１を収容し得る大きさの袋状に成形されていることなどは、上述した第１の実施の形態と同様である。
【００２７】
このように構成されていることにより、ドゴールキャップ１Ｂにカバー２を取り付けると、袋状の庇部カバー部分２１の少なくとも上側部分が、ドゴールキャップ１Ｂの庇部１１の上面に沿って密着するよう被せられ、また、頭部装着部カバー部分２１がドゴールキャップ１Ｂのクラウン部１０の形状に沿って密着するよう被せられることとなる。そのため、ドゴールキャップのシルエットと同様の形状を呈することとなり、したがって、カバー２がドゴールキャップ１Ｂに被せられた状態の見栄えを良くすることができる。さらに、布状素材の伸縮性と併せて、帯状ゴムによる収縮など、締付手段２２によって頭部装着部カバー部分２０の下縁開口部を縮小させるよう締め付けられるため、ドゴールキャップ１Ｂのクラウン部１０から頭部装着部カバー部分２０が不用意に離脱するのを防止することができる。
【００２８】
次に、本考案の第３の実施の形態を図４に基づいて説明する。なお、上述した実施の形態と同様または相当する部分については同じ符号を付してその説明を省略し、異なる部分についてのみ説明することとする。
この実施の形態においては、庇部１１が比較的小さく成形されており、この庇部１１の上面にクラウン部１０の前方が接している形状を有する所謂ハンチングキャップ１Ｃに取り付けるためのカバー２を示している。
【００２９】
頭部装着部カバー部分２０は、ハンチングキャップ１Ｃの庇部１１と接するクラウン部１０の形状と相似形で扁平に成形される。また、庇部カバー部分２１は、その上側がハンチングキャップ１Ｃの庇部１１の上面の、クラウン部１０の前方が接した部分から前方先端までの形状と相似形で、また、その下側が庇部１１の下面の形状と相似形で、庇部１１を収容し得る大きさの袋状に成形されている。
【００３０】
このように構成されていることにより、ハンチングキャップ１Ｃにカバー２を取り付けると、袋状の庇部カバー部分２１の少なくとも上側部分が、ハンチングキャップ１Ｃの庇部１１の上面に沿って密着するよう被せられ、また、頭部装着部カバー部分２０がハンチングキャップ１Ｃの扁平なクラウン部１０の形状に沿って密着するよう被せられることとなる。そのため、ハンチングキャップ１Ｃのシルエットと同様の形状を呈することとなり、したがって、カバー２がハンチングキャップ１Ｃに被せられた状態の見栄えを良くすることができる。さらに、布状素材の伸縮性と併せて、帯状ゴムによる収縮など、締付手段２２によって頭部装着部カバー部分２０の下縁開口部を縮小させるよう締め付けられるため、扁平な形状のハンチングキャップ１Ｃのクラウン部１０から頭部装着部カバー部分２０が不用意に離脱するのを防止することができる。
【００３１】
次に、本考案の第４の実施の形態を図５に基づいて説明する。なお、上述した実施の形態と同様または相当する部分については同じ符号を付してその説明を省略し、異なる部分についてのみ説明することとする。
この実施の形態においては、カバー２を取り付ける頭部装着物１がサンバイザー１Ｄであり、したがって、頭部装着部１０が着用者の頭部の周囲のみに接して頭頂部を露出させるように額当て部およびベルト部が構成されている点で上述したキャップ１Ａ〜１Ｃと異なっている。なお、頭部装着部１０が環状形状でも、後方が開放した形状のいずれのサンバイザー１Ｄにも本考案のカバー２を適用することができる。
【００３２】
頭部装着部カバー部分２０は、着用者の頭頂部からサンバイザー１Ｄの額当て部およびベルト部を備えてなる頭部装着部１０までを覆い得る形状に成形されている。また、庇部カバー部分２１はサンバイザー１Ｄの庇部１１を収納し得る大きさの袋状に成形されている。
【００３３】
このように構成されていることにより、サンバイザー１Ｄにカバー２を取り付けると、袋状の庇部カバー部分２１の少なくとも上側部分が、サンバイザー１Ｄの庇部１１の上面に沿って密着するよう被せられ、また、頭部装着部カバー部分２０が着用者の頭頂部からサンバイザー１Ｄの額当て部およびベルト部を備えてなる頭部装着部１０までを覆うように被せられることとなる。そのため、上述したキャップ１Ａなどのシルエットと同様の形状を呈することとなる。さらに、布状素材の伸縮性と併せて、帯状ゴムによる収縮など、締付手段２２によって頭部装着部カバー部分２０の下縁開口部を縮小させるよう締め付けられるため、サンバイザー１Ｄの額当て部およびベルト部を備えてなる頭部装着部１０から頭部装着部カバー部分２０が不用意に離脱するのを防止することができる。そして、布製素材が撥水機能を有することにより、雨天時に使用すれば、頭頂部を露出させるように構成されたサンバイザー１Ｄを頭部用の雨具として使用することができる。
【符号の説明】
【００３４】
１：頭部装着物、  １Ａ：キャップ、  １Ｂ：ドゴールキャップ、１Ｃ：ハンチングキャップ、  １０；頭部装着部、  １１：庇部、  ２：カバー、  ２０：頭部装着部カバー部分、  ２１、庇部カバー部分、  ２１ａ：上縁、  ２１ｂ：下縁、２１ｃ：開口部、  ２２：締付手段、  ２３：芯材
【図１】
0003191042.tif 000003
【図２】
0003191042.tif 000004
【図３】
0003191042.tif 000005
【図４】
0003191042.tif 000006
【図５】
0003191042.tif 000007